(57)【特許請求の範囲】
【請求項１】
上部を開口し下部に可動の底部を有する円筒状の給排気部と、該給排気部の外側に可撓性を有する連結バンドを介して連結した栓部とから成り、袋体内に空気を注入、排出するための空気栓であって、
前記栓部は、前記連結バンドに連結する円板状の頂面部と、該頂面部の裏面に設け封止時に前記給排気部内に挿入する円筒部と、前記連結バンドから互いに異なる直角方向である両側に、前記頂面部の表面と平行するように前記頂面部から張り出した一対の摘み片とを備え、
前記円筒部の引き抜きに際しては、前記一対の摘み片を重ね合わせて把持することを特徴とする空気栓。
【請求項２】
前記一対の摘み片は同一形状としたことを特徴とする請求項１に記載の空気栓。
【請求項３】
台錐形状の可撓性を有する台座部を有し、前記給排気部は前記台座部の上面に取り付けたことを特徴とする請求項１又は２に記載の空気栓。
【請求項４】
前記栓部の円筒部の外径は前記給排気部の内径に略一致し、先端に向かうにつれ若干細径とすることを特徴とする請求項１〜３の何れか１項に記載の空気栓。
【発明の詳細な説明】
【技術分野】
【０００１】
本発明は、ビーチボールや浮き輪等の空気を充填して使用する玩具等に取り付け、空気の注入、排出を行う空気栓に関するものである。
【背景技術】
【０００２】
合成樹脂製のシート材から成るビーチボール、浮き輪等は密閉した袋体になっており、合成樹脂製の空気栓を介して内部に空気を入れ、膨らませることにより使用する。
【０００３】
そして、空気栓は一般的に特許文献１に示すような構造とされている。この空気栓の頂部に設けた栓部を給排気部から外して、給排気部から袋体にポンプ等により空気を注入した後に、栓部を給排気部に封止して使用する。使用後は、栓部を給排気部から引き抜き、栓部の底部に設けた弁体を変形させながら内部の空気を排出する。
【先行技術文献】
【特許文献】
【０００４】
【特許文献１】特開２０１１−２４１８８９号公報
【発明の概要】
【発明が解決しようとする課題】
【０００５】
しかし、特許文献１の空気栓において、栓部を引き抜く際には、栓部に設けた小片から成る摘み片を摘んで引き抜くことにより栓部を取り外すことになる。この開放作業は、栓部の一端のみに力が集中してしまい、繰り返して使用すると、柔軟な合成樹脂から成る摘み片が根元から切り取られてしまうという問題がある。
【０００６】
また、指で引っ張る方向と、栓部の抜ける方向とが異なった状態で引き抜くと、余分に力が必要となり、摘み片が破損する虞れがある。
【０００７】
そして、一旦、摘み片が切り取られてしまうと、栓部を給排気部から引き抜くことが極めて困難になり、場合によっては金属製の鉤棒などを栓部に引っ掛けて、引き抜かなければならなくなる。このように、金属製の道具を使用すると、袋体を損傷してしまうという問題も生ずる。
【０００８】
本発明の目的は、上述の課題を解決し、繰り返して栓部を引き抜いても摘み片が破損することのない空気栓を提供することにある。
【課題を解決するための手段】
【０００９】
上記目的を達成するための本発明に係る空気栓は、上部を開口し下部に可動の底部を有する円筒状の給排気部と、該給排気部の外側に可撓性を有する連結バンドを介して連結した栓部とから成り、袋体内に空気を注入、排出するための空気栓であって、前記栓部は、前記連結バンドに連結する円板状の頂面部と、該頂面部の裏面に設け封止時に前記給排気部内に挿入する円筒部と、前記連結バンドから互いに異なる直角方向である両側に、前記頂面部の表面と平行するように前記頂面部から張り出した一対の摘み片とを備え、前記円筒部の引き抜きに際しては、前記一対の摘み片を重ね合わせて把持することを特徴とする。
【発明の効果】
【００１０】
本発明に係る空気栓によれば、摘み片を一対として使用に際して重ね合わせるので、摘み片が切り取られる虞れが少ない。
【図面の簡単な説明】
【００１１】
【図１】空気栓を設けたビーチボールの斜視図である。
【図２】栓部を給排気部から開放した状態の空気栓の斜視図である。
【図３】断面図である。
【図４】栓部を給排気部に挿入した状態の空気栓の斜視図である。
【図５】断面図である。
【図６】空気栓をビーチボール内に押し込んだ状態の断面図である。
【図７】栓部を引き出す状態の説明図である。
【発明を実施するための形態】
【００１２】
本発明を図示の実施例に基づいて詳細に説明する。
図１は空気栓１を取り付けたビーチボールＢの斜視図である。この空気栓１はビーチボールＢ以外にも空気を入れる浮き輪等の様々な合成樹脂製から成る袋体に適用することができる。
【００１３】
図２は栓部を給排気部から外した状態の空気栓１の斜視図、図３は断面図、図４は栓部を給排気部に挿入した状態の斜視図、図５は断面図である。
【００１４】
空気栓１には、台錐形状の可撓性を有する台座部２の上面に円筒状の給排気部３が取り付けられている。給排気部３の上部は開口され、下部の底部には空気を一方向に通気する可動の弁部４が設けられている。給排気部３の上部には可撓性を有する連結バンド５を介して栓部６が連結されている。
【００１５】
栓部６は連結バンド５により給排気部３に連結する円板状の頂面部７を有し、この頂面部７の裏面から円筒部８が突出されており、円筒部８は給排気部３に対し挿脱自在とされている。円筒部８が給排気部３に挿し込まれた状態において、給排気部３を密閉するようになっている。円筒部８の外径は給排気部３の内径に略一致しており、先端につれて挿入が容易なように若干細径となっている。頂面部７の縁部から、連結バンド５の接続個所に対して直角方向に一対の同一形状の耳状の摘み片９ａ、９ｂが両側に張り出されている。
【００１６】
ビーチボールＢに空気を注入する際には、図３の状態で給排気部３からポンプ等により空気を注入し、ビーチボールＢを膨張させる。このとき、空気圧により弁部４が点線で示すように下方に開いて、給排気部３の入口側からビーチボールＢ内への方向のみに空気が流入し、途中で空気の注入を停止したり休んでも弁部４により内部の空気が外部に逆流することはない。
【００１７】
そして、十分に空気を入れて膨張させた後に、図４、図５に示すように栓部６により給排気部３を密閉する。続いて、図６に示すように栓部をビーチボールＢ内に押し込み、上方に持ち上がっていた台座部２を下方に反転させる。これにより、栓部６の頂面部７はビーチボールＢの表面とほぼ面一となる。
【００１８】
このような状態で、ビーチボールＢを使用することになるが、使用を中止してビーチボールＢ内の空気を排出するには、栓部６を給排気部３から引き抜いて空気を排出させる。
【００１９】
栓部６を引き抜くには、図７に示すように一対の摘み片９ａ、９ｂ同士を重ね合わせて親指と人差し指で把持する。このように把持した状態で、円筒部８を矢印で示す上方に引き上げることで、ビーチボールＢ内に埋設された栓部６、給排気部３及び台座部２がビーチボールＢの表面に引き出され、更に摘み片９ａ、９ｂを引き上げると、栓部６の円筒部８は給排気部３から引き抜かれる。
【００２０】
なお、栓部６を抜いただけでは、弁部４により内部の空気の流出は防止されるので、円筒部８を指で押し潰して弁部４を変形して空気を押し出す必要がある。
【００２１】
従来の空気栓では１個の摘み片を引っ張った際には、摘み片の根元に力が集中するのに対して、本実施例の空気栓１では、１対の摘み片９ａ、９ｂを使用することで、摘み片９ａ、９ｂに掛かる負荷を分散できる。更には、指で摘み片９ａ、９ｂを引っ張る方向と、円筒部８の抜ける方向が一致し易いため、給排気部３に嵌合した円筒部８を中心から真上方向に引っ張ることになる。従って、引き抜きに際して円筒部８が傾くことなく、円筒部８の給排気部３に対する余分な摩擦抵抗が生ずることがなく、従来例に比べて弱い力で引き抜くことが可能となる。
【００２２】
このことから、長期間、繰り返して摘み片９ａ、９ｂを使用しても、摘み片９ａ、９ｂに大きな力が加わることもなく、また、摘み片９ａ、９ｂは一対としているので、摘み片９ａ、９ｂが破損する虞れは少ない。
【００２３】
また、実施例においては、摘み片９ａ、９ｂの面積は大きく頂面部７と平行になっているので、頂面部７、摘み片９ａ、９ｂに一体にキャラクタ等を図示したり、キャラクタに合わせて摘み片９ａ、９ｂの輪郭を定めることもできる。
【符号の説明】
【００２４】
１  空気栓
２  台座部
３  給排気部
４  弁部
５  連結バンド
６  栓部
７  頂面部
８  円筒部
９ａ、９ｂ  摘み部
【図１】
0006573229.tif 000002
【図２】
0006573229.tif 000003
【図３】
0006573229.tif 000004
【図４】
0006573229.tif 000005
【図５】
0006573229.tif 000006
【図６】
0006573229.tif 000007
【図７】
0006573229.tif 000008